(57)【要約】【課題】大空間施設の開口率を確保しつつ、大掛かりな構造を必要とせず開閉可能な屋根開閉構造を得る。【解決手段】屋根開閉構造は、大空間施設１０に設けられた支持梁と、大空間施設１０のフィールド１２の上方の展開位置とフィールド１２から退避した収納位置との間を支持梁に支持されて移動可能な可動梁２４と、可動梁２４に支持されてフィールド１２の上方を覆う閉止位置とフィールド１２から退避した退避位置との間を移動する可動屋根２２と、有する。【選択図】図６
2019196649.tif 000002
【特許請求の範囲】
【請求項１】
大空間施設に設けられた支持梁と、
前記大空間施設のフィールドの上方の展開位置と前記フィールドから退避した収納位置との間を前記支持梁に支持されて移動可能な可動梁と、
前記可動梁に支持されて前記フィールドの上方を覆う閉止位置と前記フィールドから退避した退避位置との間を移動する可動屋根と、
を有する屋根開閉構造。
【請求項２】
前記可動屋根が複数に分割されている請求項１に記載の屋根開閉構造。
【請求項３】
前記可動屋根の少なくとも一部は、前記退避位置で前記フィールドの周囲の客席よりも外側に設けられた支持部材に支持されている請求項１又は２に記載の屋根開閉構造。
【発明の詳細な説明】
【技術分野】
【０００１】
本発明は、屋根開閉構造に関する。
【背景技術】
【０００２】
特許文献１には、屋根開閉式のドームが開示されており、このドームの両端部には、上部の開口を覆う固定ユニットが設けられている。また、固定ユニットの上方には移動ユニットが設けられており、移動ユニットが移動することでドームの開口がさらに覆われる。さらに、固定ユニット及び移動ユニットで覆われた残りの開口を別の移動ユニットによって覆う構造となっている。
【０００３】
一方、特許文献２には、互いに平行に配設された一対の走行レールを備えた開閉ユニットが開示されており、この走行レール上に複数の屋根ユニットを走行させることで開閉させる構造となっている。
【先行技術文献】
【特許文献】
【０００４】
【特許文献１】特許第２５０８８５９号
【特許文献２】特許第３２４１６６４号
【発明の概要】
【発明が解決しようとする課題】
【０００５】
上記特許文献１のように移動ユニットだけでドームなどの大空間施設の開口部を覆う構造では、大掛かりな開閉構造が必要となる。一方、上記特許文献２のように走行レールなどの支持部材の上に屋根を移動させる構造では、屋根自体の骨組みを簡易なものとすることができる。しかしながら、人工芝を育成している競技施設などの場合、走行レールなど屋根を支持する部材の影によって人工芝へ十分に太陽光が照射されない場合があり、屋根を開いた状態の開口率を確保する観点で改善の余地がある。
【０００６】
本発明は、上記の事実を考慮し、大空間施設の開口率を確保しつつ、大掛かりな構造を必要とせず開閉可能な屋根開閉構造を得ることを目的とする。
【課題を解決するための手段】
【０００７】
請求項１に記載の本発明に係る屋根開閉構造は、大空間施設に設けられた支持梁と、前記大空間施設のフィールドの上方の展開位置と前記フィールドから退避した収納位置との間を前記支持梁に支持されて移動可能な可動梁と、前記可動梁に支持されて前記フィールドの上方を覆う閉止位置と前記フィールドから退避した退避位置との間を移動する可動屋根と、を有する。
【０００８】
請求項１に記載の本発明に係る屋根開閉構造によれば、大空間施設には支持梁が設けられており、この支持梁に可動梁が支持されて展開位置と収納位置との間を移動可能とされている。これにより、可動梁を収納位置から展開位置へ移動させる際や、可動梁を展開位置から収納位置へ移動させる際に、可動梁が可動屋根の荷重を負担しないので、可動梁の移動に大掛かりな移動機構を必要とせずに済む。
【０００９】
また、可動屋根は、可動梁に支持されて閉止位置と退避位置との間を移動し、閉止位置でフィールドの上方を覆う。このように、可動梁によって可動屋根の支持スパンを小さくすることができるので、可動屋根の骨組みを簡易なものとすることができる。さらに、可動屋根の開閉に大掛かりな移動機構を必要とせずに済む。
【００１０】
さらに、可動梁を収納位置に移動（退避）させることで、フィールド上方の開口部の開口率を確保することができる。これにより、例えばフィールドに天然芝が植栽された大空間施設であっても、可動梁が影とならず十分に太陽光を照射することができる。すなわち、天然芝の育成を妨げずに済む。
【００１１】
請求項２に記載の本発明に係る屋根開閉構造は、請求項１に記載の屋根開閉構造であって、前記可動屋根が複数に分割されている。
【００１２】
請求項２に記載の本発明に係る屋根開閉構造によれば、可動屋根を分割することで、屋根が必要な部分だけを覆うことができる。
【００１３】
請求項３に記載の本発明に係る屋根開閉構造は、請求項１又は２に記載の屋根開閉構造であって、前記可動屋根の少なくとも一部は、前記退避位置で前記フィールドの周囲の客席よりも外側に設けられた支持部材に支持されている。
【００１４】
請求項３に記載の本発明に係る屋根開閉構造によれば、可動屋根を客席よりも外側の支持部材まで退避させることにより、開放感を得ることができる。また、天然芝を育成している場合、客席の全域が屋根で覆われた構造と比較して、天然芝への太陽光の照射時間を確保することができる。
【発明の効果】
【００１５】
以上説明したように、本発明に係る屋根開閉構造によれば、大空間施設の開口率を確保しつつ、大掛かりな構造を必要とせず開閉することができる。
【図面の簡単な説明】
【００１６】
【図１】第１実施形態に係る屋根開閉構造を備えた競技施設の概略平面図である。
【図２】図１の２−２線で切断した状態を示す断面図である。
【図３】図１から可動梁が移動した状態を示す概略平面図である。
【図４】図３の４−４線で切断した状態を示す断面図である。
【図５】支持梁と可動梁との係合状態、及び固定屋根と可動屋根の係合状態を説明するための図４の要部を拡大した拡大図である。
【図６】図３から可動屋根が移動した状態を示す概略平面図である。
【図７】図６からさらに可動屋根が移動してフィールドの上方が完全に覆われた状態を示す概略平面図である。
【図８】固定屋根と可動屋根との係合状態を説明するための拡大図である。
【図９】第２実施形態に係る屋根開閉構造を備えた競技施設の概略平面図である。
【図１０】第３実施形態に係る屋根開閉構造を備えた競技施設の概略平面図である。
【図１１】第４実施形態に係る屋根開閉構造を備えた競技施設の概略平面図である。
【図１２】第５実施形態に係る屋根開閉構造を備えた競技施設の概略平面図である。
【図１３】第６実施形態に係る屋根開閉構造を備えた競技施設の概略立面図である。
【図１４】第７実施形態に係る屋根開閉構造を備えた競技施設の概略立面図である。
【図１５】第８実施形態に係る屋根開閉構造を備えた競技施設の概略立面図であり、（Ａ）には可動屋根が閉止位置にある状態が示され、（Ｂ）には可動屋根が退避位置にある状態が示されている。
【図１６】固定屋根及び可動屋根の変形例を示す概略立断面図であり、（Ａ）には固定屋根の下面側に可動屋根が支持された構造が示され、（Ｂ）には固定屋根の内部に可動屋根が収納された構造が示され、（Ｃ）には可動屋根が蛇腹状とされた構造が示されている。
【図１７】第８実施形態の変形例を示す概略立面図であり、（Ａ）には可動屋根が閉止位置にある状態が示され、（Ｂ）には可動屋根が退避位置にある状態が示されている。
【発明を実施するための形態】
【００１７】
＜第１実施形態＞
以下、図面を参照しながら、本発明の第１実施形態に係る屋根開閉構造について説明する。なお、各図において適宜示される矢印Ｚは、垂直方向（上下方向）を示しており、各図において適宜示される矢印Ｘ、Ｙは、互いに直交する水平二方向を示している。
【００１８】
図２に示されるように、本実施形態の屋根開閉構造が適用された大空間施設としての競技施設１０は、フィールド１２の周囲に客席１４が配置された構成となっており、客席１４には、図示しない複数のベンチが設けられている。また、本実施形態では一例として、フィールド１２側から外側へ向かうにつれて高くなるように客席１４が傾斜されている。なお、客席１４は、フィールド１２を挟んでＹ方向の両側に配置されている。
【００１９】
それぞれの客席１４の上端部には、支持部材１６を介して固定屋根１８が設けられている。固定屋根１８は、客席１４におけるフィールド１２側の端部まで延在されており、客席１４の全域の上方を覆うように構成されている。そして、この固定屋根１８のフィールド１２側の端部には、Ｘ方向に延在された支持梁１９が設けられている。また、本実施形態では一例として、固定屋根１８がトラス状に形成されており、水平方向に延在されている。
【００２０】
ここで、固定屋根１８及び支持梁１９の上面には屋根仕上げ材２０が設けられている。また、屋根仕上げ材２０の上方には可動屋根２２が設けられている。可動屋根２２の詳細については後述する。
【００２１】
図１に示されるように、両側の支持梁１９の間には、可動屋根２２を支持するための固定梁２６及び可動梁２４が設けられている。固定梁２６は、競技施設１０におけるＸ方向の両端部に一対設けられており、それぞれＹ方向を長手方向とする長尺状に形成されている。そして、これらの固定梁２６の長手方向の両端部が支持梁１９に固定されている。
【００２２】
一方、可動梁２４は、フィールド１２を挟んで一対設けられており、それぞれＹ方向を長手方向とする長尺状に形成されている。また、可動梁２４はそれぞれ、長手方向と直交するＸ方向に移動可能に構成されている。以下、可動梁２４の移動機構の一例について説明する。
【００２３】
図５に示されるように、支持梁１９の上下方向の中間部には、可動梁２４側へ中間材１９Ａが延在されている。そして、この中間材１９Ａの先端部は可動梁２４側へ突出されており、この突出された先端にガイド部材としての下側ガイド部材２８が設けられている。下側ガイド部材２８は、断面略Ｈ字状でＸ方向（図５の紙面方向）に延在されており、この下側ガイド部材２８上には断面略Ｔ字状の下側レール３０が設けられている。下側レール３０は、Ｘ方向に延在されており、この下側レール３０に可動梁２４の下側ローラ３８が係合されている。
【００２４】
また、支持梁１９の可動梁２４側には、上弦材３２がＸ方向に延在されており、この上弦材３２の側面には、断面略Ｔ字状の上側レール３４が設けられている。上側レール３４は、Ｘ方向に延在されており、この上側レール３４に可動梁２４の上側ローラ４２が係合されている。
【００２５】
可動梁２４の下弦材２４Ａの根本側端部の下面には、下側レール３０を挟んで一対の下側ローラ保持部３６が設けられている。そして、それぞれの下側ローラ保持部３６には下側ローラ３８が回転可能に取り付けられており、この下側ローラ３８が下側レール３０の上下のフランジ部間に入り込んでいる。すなわち、一対の下側ローラ３８によって下側レール３０のウェブ部が挟み込まれた状態となっている。
【００２６】
可動梁２４の上弦材２４Ｂの根本側端面から支持梁１９側へ上側ローラ保持部４０が設けられている。そして、この上側ローラ保持部４０の下面には上側ローラ４２が回転可能に取り付けられており、上側ローラ４２が上側レール３４のフランジ部間に入り込んでいる。このようにして、可動梁２４は、下側ローラ３８及び上側ローラ４２を介して支持梁１９に支持されている。
【００２７】
ここで、支持梁１９の中間材１９Ａには、固定滑車４４が設けられている。固定滑車４４は、上下に２つのシーブ４４Ａを備えており、それぞれのシーブ４４ＡにはワイヤＷ１が支持されている。固定滑車４４は、Ｘ方向に間隔をあけて複数設けられており、Ｘ方向の一端側にはワイヤＷ１が巻き掛けられたトップシーブ（不図示）が設けられている。一方、Ｘ方向の他端側には、電動ウインチ（不図示）が設けられており、電動ウインチを駆動させることで、ワイヤＷ１がシーブ４４Ａに支持されながらＸ方向に移動する。
【００２８】
また、ワイヤＷ１が可動梁２４に取り付けられているため、ワイヤＷ１が移動することで、可動梁２４が引っ張られてＸ方向に移動するように構成されている。このとき、下側ローラ３８は、下側レール３０に沿って回転し、上側ローラ４２は、上側レール３４に沿って回転する。
【００２９】
なお、上述した可動梁２４の移動機構については、他の方法を採用してもよい。例えば、下側ローラ３８及び上側ローラ４２の少なくとも一方を駆動輪とし、これらのローラを駆動させることで可動梁２４を移動させてもよい。
【００３０】
ここで、本実施形態の可動梁２４は、図１に示されるように、フィールド１２から退避して固定梁２６に隣接した収納位置と、図３に示されるようにフィールド１２の中央側へ移動した展開位置との間で移動可能とされている。また、支持梁１９における可動梁２４の収納位置と対応する位置には、ロック機構（不図示）が設けられており、可動梁２４の移動をロックできるように構成されている。
【００３１】
図３に示されるように、可動梁２４の展開位置は、予め設定された位置なっている。そして、支持梁１９における可動梁２４の展開位置に対応する位置には、ロック機構（不図示）が設けられており、可動梁２４の移動をロックできるように構成されている。ロック機構としては、可動梁２４の移動をロックできる機構であれば種々の機構を採用することができる。例えば、シリンダでシアピンを移動させることで、可動梁２４のロック及びロックの解除を行う機構としてもよい。
【００３２】
図４に示されるように、可動梁２４が展開位置に移動することで、可動梁２４がフィールド１２の上方で支持梁１９を連結する位置に配置される。なお、図４では、固定屋根１８の下端と可動梁２４の下端とが略直線状に描かれているが、実際には若干の段差が設けられている（図５参照）。
【００３３】
図６に示されるように、可動屋根２２は、平面視で固定屋根１８と同じ大きさの略矩形状に形成されており、Ｙ方向に移動可能に構成されている。以下、可動屋根２２の移動機構の一例について説明する。
【００３４】
図８に示されるように、固定屋根１８を構成する上弦材１８Ａから上方へガイド部材５１が延在されている。そして、ガイド部材５１の上方には断面略Ｈ字状のレール５２が固定されている。レール５２は、Ｙ方向に延在されており、このレール５２に可動屋根２２のローラ４８が係合されている。
【００３５】
可動屋根２２の下弦材２２Ａの下面側には、レール５２を挟んで一対のローラ保持部４６が設けられている。一対のローラ保持部４６は、レール５２と対応する位置に設けられており、それぞれのローラ保持部４６にはローラ４８が取り付けられている。そして、このローラ４８がレール５２の上下のフランジ部間に入り込んでいる。すなわち、ローラ４８によってレール５２のウェブ部が挟み込まれた状態となっている。また、図５に示されるように、ローラ保持部４６及びローラ４８は、レール５２が延在されたＹ方向に間隔をあけて複数カ所に設けられている。そして、それぞれのローラ保持部４６にはＹ方向に２つのローラ４８が並んで取り付けられている。
【００３６】
図８に示されるように、屋根仕上げ材２０上には固定滑車５０が設けられている。固定滑車５０の両側を構成するフレームは、固定屋根１８の上弦材１８ＡをＸ方向に繋ぐ連結部１８Ｂに固定されている。また、固定滑車５０は、上下に２つのシーブ５０Ａを備えており、それぞれのシーブ５０ＡにはワイヤＷ２が支持されている。
【００３７】
図５に示されるように、固定滑車５０は、ワイヤＷ２の延在方向であるＹ方向に沿って間隔をあけて複数設けられており、Ｙ方向の一端部にはワイヤＷ２が巻き掛けられたトップシーブ５４が設けられている。一方、Ｙ方向の他端側には、電動ウインチ（不図示）が設けられており、電動ウインチを駆動させることでワイヤＷ２がシーブ５０Ａに支持されながらＹ方向に移動する。
【００３８】
図８に示されるように、Ｘ方向に間隔をあけて複数の固定滑車５０が設けられており、それぞれの固定滑車５０にワイヤＷ２が掛けられている。
【００３９】
ここで、ワイヤＷ２は、トップシーブ５４と電動ウインチとの間で可動屋根２２に取り付けられている。このため、ワイヤＷ２が移動することで、可動屋根２２が引っ張られてＹ方向に移動するように構成されている。このとき、ローラ４８は、レール５２に沿って回転する。
【００４０】
図５に示されるように、可動梁２４の上方にはレール５６が設けられている。レール５６の下端部は可動梁２４の上弦材２４Ｂに固定されており、このレール５６は、展開位置でレール５２と対応する位置に取り付けられている。つまり、固定屋根１８上のレール５２が、展開位置における可動梁２４上のレール５６と対応する位置にある。このため、可動梁２４を展開位置まで移動させた状態では、固定屋根１８側のレール５２と可動梁２４側のレール５６とがＹ方向に略一直線上に配置されることとなる。これにより、可動屋根２２がＹ方向に移動した場合に、ローラ４８がレール５２からレール５６へ進み、可動屋根２２が可動梁２４に支持されてＹ方向に移動できるように構成されている。
【００４１】
可動屋根２２は、図３に示されるフィールド１２から退避した退避位置と、図７に示されるフィールド１２の上方を覆う閉止位置との間でＹ方向に移動可能とされている。そして、可動屋根２２が閉止位置まで移動した状態では、両側の可動屋根２２同士がシアピンによりロックされた上で、隙間がシールされて雨などがフィールド１２に入り込まないようになっている。なお、一方の可動屋根２２の先端部に庇などを設け、この庇を他方の可動屋根２２の上面に重ねるようにすることで雨漏れを抑制する構成としてもよい。
【００４２】
（作用並びに効果）
次に、本実施形態に係る屋根開閉構造の作用並びに効果について説明する。ここでは、フィールド１２の上方の開口を閉じる場合の動作について説明しつつ、本実施形態の作用について説明する。
【００４３】
先ず、図１に示される状態で、一対の可動梁２４のロック状態を解除する。すなわち、可動梁２４を移動可能な状態とする。続いて、それぞれの可動梁２４を上述した移動機構によって、図３に示される展開位置までＸ方向に移動させる。
【００４４】
ここで、本実施形態では、可動梁２４を収納位置から展開位置へ移動させる際や、可動梁２４を展開位置から収納位置へ移動させる際に、可動梁２４が可動屋根２２の荷重を負担しないので、可動梁２４の移動に大掛かりな移動機構を必要とせずに済む。すなわち、電動ウインチなどの簡易な装置で可動梁２４を移動させることができる。
【００４５】
図３に示される展開位置への可動梁２４の移動が完了した後、ロック機構（不図示）により可動梁２４を支持梁１９に固定（ロック）する。そして、この状態で両側の可動屋根２２を上述した移動機構によってＹ方向に移動させる。これにより、可動屋根２２は、図３に示される退避位置から、図６に示される状態を経て図７に示される閉止位置へ移動される。
【００４６】
ここで、可動梁２４によって可動屋根２２の支持スパンを小さくすることができるので、可動屋根２２の骨組みを簡易なものとすることができる。すなわち、可動梁２４が無い構造の場合、固定梁２６の間に可動屋根２２を支持する部材が無いため、可動屋根２２の骨組みを強固にする必要が生じる。本実施形態では、可動梁２４によって可動屋根２２を支持することができるため、可動屋根２２の骨組みを簡易なものとすることができる。この結果、可動屋根２２の開閉に大掛かりな移動機構を必要とせずに済む。すなわち、電動ウインチなどの簡易な装置で可動屋根２２を移動させることができる。
【００４７】
また、図１に示されるように、可動梁２４を収納位置に移動させることで、フィールド１２の上方の開口部の開口率を確保することができる。すなわち、可動梁２４によってフィールド１２に影ができるのを抑制することができる。これにより、例えばフィールド１２に天然芝が植栽された競技施設であっても、可動梁が影とならず十分に太陽光を照射することができる。すなわち、天然芝の育成を妨げずに済む。
【００４８】
＜第２実施形態＞
次に、本発明の第２実施形態に係る屋根開閉構造について説明する。なお、第１実施形態と同様の構成については同じ符号を付し、適宜説明を省略する。
【００４９】
図９に示されるように、本実施形態の屋根開閉構造が適用された競技施設６０は、フィールド１２に対してＸ方向の両側に固定梁２６が設けられている。固定梁２６は、Ｙ方向を長手方向として両側の支持梁１９の間に配置されている。
【００５０】
支持梁１９の間には２つの可動梁２４が設けられている。ここで、本実施形態では、２つの可動梁２４が収納位置で一方の固定梁２６側に配置されている点で第１実施形態と異なる。すなわち、本実施形態の競技施設６０では、２つの可動梁２４は、収納位置で紙面上側の固定梁２６と隣接して配置されている。
【００５１】
そして、２つの可動梁２４は、もう一方側の固定梁２６に向かう方向に展開位置まで移動するように構成されており、展開位置に移動した状態では、図３と同じ配置となる。また、展開位置から収納位置へ移動する際は、図９で示す矢印とは反対方向へ２つの可動梁２４を移動させることとなる。
【００５２】
以上のように、本実施形態の屋根開閉構造が適用された競技施設６０では、可動梁２４を収納位置から展開位置まで移動させる際の２つの可動梁２４の移動方向を同じ方向とすることができる。また同様に、可動梁２４を展開位置から収納位置まで移動させる際の２つの可動梁２４の移動方向を同じ方向とすることができる。その他の作用については第１実施形態と同様である。
【００５３】
＜第３実施形態＞
次に、本発明の第３実施形態に係る屋根開閉構造について説明する。なお、第１実施形態と同様の構成については同じ符号を付し、適宜説明を省略する。
【００５４】
図１０に示されるように、本実施形態の屋根開閉構造が適用された競技施設６２は、フィールド１２に対してＸ方向の両側に固定梁２６が設けられている。固定梁２６は、Ｙ方向を長手方向として支持梁１９の間に配置されている。なお、説明の便宜上、図１０では固定梁２６の梁幅が第１実施形態の固定梁２６よりも狭幅なっているが、第１実施形態と同じ梁幅としてもよい。後述する可動梁２４についても同様である。
【００５５】
ここで、本実施形態の競技施設６２は、支持梁１９の間に４つの可動梁２４が設けられている点で第１実施形態と異なる。本実施形態では一例として、可動梁２４が展開位置に移動した状態では、固定梁２６の間に略同じ間隔で４つの可動梁２４が配置されるように構成されている。
【００５６】
また、４つの可動梁２４はそれぞれ、Ｘ方向に移動可能に構成されており、図１０に示す展開位置から固定梁２６に隣接する収納位置へ移動可能とされている。収納位置では、それぞれの固定梁２６に２つの可動梁２４が並んで配置される。
【００５７】
以上のように、本実施形態の屋根開閉構造が適用された競技施設６２では、第１実施形態と比較して可動梁２４の数が増えているため、より可動屋根２２の支持スパンを小さくすることができ、支持状態を良好に維持することができる。その他の作用については第１実施形態と同様である。
【００５８】
＜第４実施形態＞
次に、本発明の第４実施形態に係る屋根開閉構造について説明する。なお、第１実施形態と同様の構成については同じ符号を付し、適宜説明を省略する。
【００５９】
図１１に示されるように、本実施形態の屋根開閉構造が適用された競技施設６４は、可動屋根６６、６８が複数に分割されている点で第１実施形態と異なる。競技施設６４には、フィールド１２に対してＸ方向の両側に固定梁２６が設けられている。固定梁２６は、Ｙ方向を長手方向として支持梁１９の間に配置されている。
【００６０】
支持梁１９の間には２つの可動梁２４が設けられており、これらの可動梁２４は、図１１では展開位置に移動した状態となっている。なお、本実施形態では、可動梁２４の梁幅が第１実施形態よりも広幅となっている。
【００６１】
可動屋根６６は、フィールド１２を挟んでＹ方向の一方側に設けられており、第１屋根部材６６Ａ、第２屋根部材６６Ｂ及び第３屋根部材６６Ｃを含んで構成されている。第１屋根部材６６Ａは、可動屋根６６における長手方向（Ｘ方向）の一端側を構成しており、Ｙ方向に移動可能とされている。
【００６２】
ここで、図１１では、第１屋根部材６６Ａが退避位置から閉止位置へＹ方向に移動した状態が示されている。なお、第１屋根部材６６Ａの移動機構は、第１実施形態と同様の機構を採用することができる。
【００６３】
ここで、図示はしないが、可動梁２４には、それぞれの屋根部材を独立して移動可能にするために２つのレール５６が設けられている（図５参照）。すなわち、第１屋根部材６６Ａと第２屋根部材６６Ｂとの間に配置されている可動梁２４には、第１屋根部材６６Ａを移動可能とするためのレール５６と、第２屋根部材６６Ｂを移動可能とするためのレール５６とが設けられている。同様にして、支持梁１９及び固定屋根１８側にも第１屋根部材６６Ａを移動可能とするためのレール５２と、第２屋根部材６６Ｂを移動可能とするためのレール５２とが設けられている。
【００６４】
第２屋根部材６６Ｂは、可動屋根６６におけるＸ方向の中央部分を構成しており、Ｙ方向に移動可能とされている。また、第３屋根部材６６Ｃは、可動屋根６６におけるＸ方向の他端側を構成しており、Ｙ方向に移動可能とされている。そして、第２屋根部材６６Ｂと第３屋根部材６６Ｃとの間に配置されている可動梁２４には、第２屋根部材６６Ｂを移動可能とするためのレール５６と、第３屋根部材６６Ｃを移動可能とするためのレール５６とが設けられている。同様にして、支持梁１９及び固定屋根１８側にも第２屋根部材６６Ｂを移動可能とするためのレール５２と、第３屋根部材６６Ｃを移動可能とするためのレール５２とが設けられている。
【００６５】
以上のように、可動屋根６６を構成する第１屋根部材６６Ａ、第２屋根部材６６Ｂ及び第３屋根部材６６Ｃはそれぞれ、独立してＹ方向に移動できるように構成されており、図１１では、第１屋根部材６６Ａが退避位置から閉止位置まで移動した状態となっている。
【００６６】
可動屋根６８は、フィールド１２を挟んでＹ方向の他方側に設けられており、第１屋根部材６８Ａ、第２屋根部材６８Ｂ及び第３屋根部材６８Ｃを含んで構成されている。第１屋根部材６８Ａは、可動屋根６８における長手方向（Ｘ方向）の一端側を構成しており、Ｙ方向に移動可能とされている。
【００６７】
第２屋根部材６８Ｂは、可動屋根６８におけるＸ方向の中央部分を構成しており、Ｙ方向に移動可能とされている。また、第３屋根部材６８Ｃは、可動屋根６８におけるＸ方向の他端側を構成しており、Ｙ方向に移動可能とされている。
【００６８】
そして、第１屋根部材６８Ａ、第２屋根部材６８Ｂ及び第３屋根部材６８Ｃはそれぞれ、可動屋根６６と同様の移動機構によってＹ方向に移動できるように構成されており、図１１では、第１屋根部材６８Ａが退避位置から閉止位置まで移動した状態となっている。
【００６９】
以上のように、本実施形態の屋根開閉構造が適用された競技施設６４は、可動屋根６６及び可動屋根６８が分割されており、それぞれ独立して移動可能とすることで、必要な部分だけを覆うことができる。その他の作用については第１実施形態と同様である。
【００７０】
＜第５実施形態＞
次に、本発明の第５実施形態に係る屋根開閉構造について説明する。なお、第１実施形態と同様の構成については同じ符号を付し、適宜説明を省略する。
【００７１】
図１２に示されるように、本実施形態の屋根開閉構造が適用された競技施設６９は、支持梁１９及び可動屋根７０の形状が第１実施形態と異なっている。
【００７２】
固定屋根１８は、フィールド１２を挟んでＹ方向の両側に設けられており、固定屋根１８のフィールド１２側の端部には支持梁１９が設けられている。そして、固定屋根１８及び支持梁１９の上面には屋根仕上げ材２０が設けられている。ここで、支持梁１９及び仕上げ材２０のフィールド１２側の端部は、平面視で略波型形状とされている。また、可動梁２４がＸ方向に移動できるように、両側の支持梁１９の間の長さがＸ方向で略同一の長さとなるようにそれぞれの支持梁１９及び仕上げ材２０の形状が設定されている。
【００７３】
可動屋根７０は、固定屋根１８の上方に設けられており、Ｙ方向に移動可能とされている。ここで、図１２では、可動屋根７０が退避位置と閉止位置との間に位置している状態を示している。
【００７４】
また、可動屋根７０におけるＹ方向の両側の端部が平面視で略波型形状とされている。また、閉止位置で一方の可動屋根７０と他方の可動屋根７０とが隙間なく突き当てられるように形状が設定されている。
【００７５】
以上のように、本実施形態の屋根開閉構造が適用された競技施設６９では、意匠の自由度を向上させることができる。なお、略波型形状に替えて、他の形状を採用してもよい。
【００７６】
＜第６実施形態＞
次に、本発明の第６実施形態に係る屋根開閉構造について説明する。なお、第１実施形態と同様の構成については同じ符号を付し、適宜説明を省略する。
【００７７】
図１３に示されるように、本実施形態の屋根開閉構造が適用された競技施設７２は、固定屋根１８及び可動屋根２２が傾斜している点で第１実施形態と異なる。競技施設７２には、フィールド１２に対してＹ方向の両側に固定屋根１８が設けられている。
【００７８】
それぞれの固定屋根１８は、客席１４の上端部に支持部材１６を介して設けられている。また、固定屋根１８は、客席１４におけるフィールド１２側の端部まで延在されており、客席１４の全域の上方を覆うように構成されている。そして、本実施形態の固定屋根１８はそれぞれ、フィールド１２側へ向かうにつれて上方（Ｚ方向）に位置するように傾斜して配置されている。
【００７９】
固定屋根１８におけるフィールド１２側の端部には、支持梁１９が設けられており、この支持梁１９の間には、可動屋根２２を支持するための可動梁２４が設けられている。可動梁２４は、Ｙ方向を長手方向とする長尺状に形成されており、Ｘ方向に移動可能に構成されている。また、本実施形態の可動梁２４は、立面視でフィールド１２の中央部分が頂部となるように略山型に形成されており、長手方向の端部がそれぞれ支持梁１９に移動可能に支持されている。
【００８０】
可動屋根２２は、退避位置から閉止位置へＹ方向に移動する。そして、図１３に示すように可動屋根２２が閉止位置に移動した状態では、それぞれの可動屋根２２は、支持梁１９側からフィールド１２の中央部分に向かうにつれて徐々に上方（Ｚ方向）に位置するように傾斜している。
【００８１】
以上のように、本実施形態の屋根開閉構造が適用された競技施設７２では、固定屋根１８及び可動屋根２２を傾斜させることにより、第１実施形態と比較して、閉止状態での競技施設内の空間を広く確保することができる。その他の作用については第１実施形態と同様である。
【００８２】
＜第７実施形態＞
次に、本発明の第７実施形態に係る屋根開閉構造について説明する。なお、第１実施形態と同様の構成については同じ符号を付し、適宜説明を省略する。
【００８３】
図１４に示されるように、本実施形態の屋根開閉構造が適用された競技施設７４は、固定屋根１８及び可動屋根２２がアーチ状に形成されている点で第１実施形態と異なる。競技施設７４には、フィールド１２に対してＹ方向の両側に固定屋根１８が設けられている。
【００８４】
それぞれの固定屋根１８は、客席１４の上端部に支持部材１６を介して設けられている。また、固定屋根１８は、客席１４におけるフィールド１２側の端部まで延在されており、客席１４の全域の上方を覆うように構成されている。そして、本実施形態の固定屋根１８はそれぞれ、上方（Ｚ方向）側が凸となるように略円弧状に形成されている。
【００８５】
固定屋根１８におけるフィールド１２側の端部には支持梁１９が設けられており、この支持梁１９の間には、可動屋根２２を支持するための可動梁２４が設けられている。可動梁２４は、Ｙ方向を長手方向とする長尺状に形成されており、Ｘ方向に移動可能に構成されている。また、本実施形態の可動梁２４は、立面視で略円弧状に形成されており、長手方向の端部がそれぞれ支持梁１９に移動可能に支持されている。
【００８６】
可動屋根２２は、退避位置から閉止位置へＹ方向に移動する。また、可動屋根２２はそれぞれ、可動梁２４にそって略円弧状に形成されている。
【００８７】
以上のように、本実施形態の屋根開閉構造が適用された競技施設７４では、固定屋根１８及び可動屋根２２を傾斜させることにより、第１実施形態と比較して、閉止状態での競技施設内の空間を広く確保することができる。また、上述した第６実施形態と比較して、可動梁２４や可動屋根２２に入力される外力が分散され易い。その他の作用については第１実施形態と同様である。
【００８８】
＜第８実施形態＞
次に、本発明の第８実施形態に係る屋根開閉構造について説明する。なお、第１実施形態と同様の構成については同じ符号を付し、適宜説明を省略する。
【００８９】
図１５（Ａ）に示されるように、本実施形態の屋根開閉構造が適用された競技施設８０は、固定屋根１８が設けられていない点で第１実施形態と異なる。なお、図１５（Ａ）及び図１５（Ｂ）では、説明の便宜上、競技施設８０のＹ方向一方側の半分だけを図示しており、左右対称の構成とされたＹ方向他方側についての図示を省略している。
【００９０】
フィールド１２を挟んでＹ方向の両側には客席１４が設けられており、この客席１４の上端部には、ガイド部材８４を介して可動梁２４が設けられている。ガイド部材８４は、客席１４に沿ってＸ方向に延在されている。また、可動梁２４は、Ｙ方向を長手方向とする長尺状に形成されており、ガイド部材８４に移動可能に支持されている。
【００９１】
可動梁２４の移動機構としては、第１実施形態と同様の機構を採用し得る。例えば、ガイド部材８４の上面に第１実施形態で説明した下側レール３０（図５参照）を固定し、この下側レール３０に可動梁２４のローラを係合することで、可動梁２４を移動可能に構成してもよい。
【００９２】
ここで、本実施形態では、客席１４の外側（フィールド１２とは反対側）に支持部材としての建物８２が設けられている。建物８２は、客席１４に沿ってＸ方向に延在されており、この建物８２の中には売店などが入っている。
【００９３】
図１５（Ｂ）に示されるように、建物８２の上部には可動屋根８６が設けられており、この可動屋根８６の一部が建物８２に支持されている。ここで、図１５（Ｂ）では可動屋根８６が退避位置にある状態を示している。
【００９４】
可動屋根８６の移動機構は、第１実施形態と同様の機構を採用し得る。例えば、建物８２の上面にレール５２（図８参照）を設け、可動屋根８６にレール５２に係合するローラ８８を設けることで、可動屋根８６が移動可能に構成されている。
【００９５】
なお、本実施形態では、可動屋根８６が退避位置にある状態で、可動屋根８６の先端部が建物８２よりもフィールド１２側へ延出されている。また、可動梁２４の移動時に、可動梁２４と可動屋根８６のローラ８８とが接触しないように、建物８２から延出された部分にはローラ８８が設けられていない。
【００９６】
ここで、可動屋根８６でフィールド１２の上方を覆う場合、図１５（Ｂ）の状態から可動梁２４を収納位置から展開位置まで移動させる。続いて、可動屋根８６を退避位置から閉止位置までフィールド１２側（Ｙ方向）へ移動させることで、図１５（Ａ）の状態となる。
【００９７】
以上のように、本実施形態の屋根開閉構造が適用された競技施設８０では、可動屋根８６を客席１４よりも外側の建物８２まで退避させることにより、固定屋根を備えた第１実施形態と比較して、より開放感を得ることができる。また、天然芝を育成している場合、第１実施形態では、可動屋根を退避位置まで移動させても客席１４の全域が屋根で覆われた状態となるため、この構造と比較して、本実施形態では天然芝への太陽光の照射時間を確保することができる。その他の作用については第１実施形態と同様である。
【００９８】
なお、本実施形態では、図１５（Ｂ）に示されるように、可動屋根８６を退避位置まで移動させた状態で、建物８２から延出された部分にはローラ８８が設けられていなかったが、これに限定されない。例えば、建物８２から延出された部分にローラ８８が設けられた構成としてもよい。この場合、可動梁２４の移動時には、ローラ８８を上側へ退避させて可動梁２４との干渉を抑制する構成などを採用し得る。
【００９９】
以上、本発明の第１実施形態〜第８実施形態について説明したが、本発明はこうした実施形態に限定されるものでなく、実施形態及び各種の変形例を適宜組み合わせて用いても良いし、本発明の要旨を逸脱しない範囲において、種々なる態様で実施し得ることは勿論である。
【０１００】
例えば、第１実施形態では、図２に示されるように、固定屋根１８の上側に可動屋根２２を設けたが、これに限定されず、図１６に示される変形例の構成を採用してもよい。
【０１０１】
図１６（Ａ）に示されるように、この変形例では、固定屋根９０の下側に可動屋根２２が設けられている。この場合、可動屋根２２は、固定屋根９０に上方から移動可能に支持されており、固定屋根９０に沿って退避位置と閉止位置との間で移動可能とされている。
【０１０２】
一方、図１６（Ｂ）に示されるように、この変形例では、固定屋根９２の内側に可動屋根２２が収納された所謂入れ子構造を採用してもよい。この場合、可動屋根２２は、固定屋根９２の上下の内壁にガイドされて移動される。
【０１０３】
図１６（Ｃ）に示されるように、この変形例では、固定屋根９３の上側に可動屋根９５が設けられており、この可動屋根９５は蛇腹状に形成されている。具体的には、可動屋根９５は、複数の板状部材を備えており、これらの板状部材の端部同士を連結部９５Ａで回転可能に連結することで形成されている。このため、可動屋根９５は、図１６（Ｃ）で図示するように折り畳み可能とされており、この状態の可動屋根９５の位置が退避位置となる。また、可動屋根９５の一端側を固定屋根９３に沿って閉止位置まで移動させることで、可動屋根９５が展開されてフィールド１２（図２参照）の上方を覆うことができるようになっている。
【０１０４】
また、第１実施形態では、図２に示されるように、固定屋根１８によって客席１４の全域を覆うように構成したが、これに限定されない。例えば、固定屋根１８をさらに短く形成し、客席１４の一部の上方が開放された構造としてもよい。
【０１０５】
さらに、第８実施形態では、図１５に示されるように、可動梁２４は、両側のガイド部材８４の間に移動可動に支持されていたが、これに限らず、図１７の変形例の構成を採用してもよい。
【０１０６】
図１７（Ａ）に示されるように、この変形例では、可動梁２４に替えて、可動梁９４及び可動梁９６が設けられている。可動梁９４は、Ｙ方向に延在されており、一端側がガイド部材８４に支持され、他端側が支持梁９７に支持されている。なお、この変形例では、フィールド１２の中央部を中心として左右対称の構造となっており、図１７（Ａ）及び図１７（Ｂ）では、Ｙ方向一方側の半分のみが図示されている。
【０１０７】
また、可動梁９４の先端部には、支持梁９７が設けられている。支持梁９７は、Ｘ方向に延在されており、この支持梁９７には可動梁９４がＸ方向に移動可能に支持されていると共に、可動梁９６もＸ方向に移動可能に支持されている。ここで、図示はしないが、反対側の客席１４の上端部にもガイド部材８４に支持されて可動梁９４と同様の可動梁が設けられており、この可動梁の先端部にも支持梁が設けられている。このように、可動梁９６は、一方側の支持梁９７と他方側の支持梁とに支持された状態で、Ｘ方向に移動可能とされている。
【０１０８】
以上の構成において、可動屋根８６でフィールド１２の上方を覆う場合、図１７（Ｂ）の状態から可動梁９４を収納位置から展開位置までガイド部材８４及び支持梁９７に沿って移動させる。次に、可動梁９６を収納位置から展開位置まで支持梁９７に沿って移動させる。続いて、可動屋根８６を退避位置から閉止位置までフィールド１２側（Ｙ方向）へ移動させることで、図１７（Ａ）の状態となる。
【０１０９】
本変形例では、可動梁９４と可動梁９６とを別々に移動させることができる。これにより、例えば、客席１４の上部だけを可動屋根８６で覆う場合は、可動梁９４だけを展開位置に移動させればよく、可動梁９６を収納位置から移動させなくてもよい。この結果、可動梁９６によって開放感が損なわれるのを抑制することができる。
【０１１０】
また、フィールド１２を可動屋根８６で完全に覆う場合は、可動梁９４に加えて可動梁９６を支持梁９７に沿って展開位置まで移動させればよい。可動梁９６を展開位置まで移動させることにより、可動屋根８６をさらにフィールド１２側まで移動させることができ、フィールド１２を可動屋根８６で完全に覆うことができる。
【０１１１】
なお、上記変形例において、支持梁９７を支持する支柱を客席１４やフィールド１２の端に立設させてもよい。また、上記実施形態及び変形例では、大空間施設として競技施設に適用した際の構造について説明したが、他の大空間施設に適用してもよい。例えば、コンサート会場などに適用してもよい。
【符号の説明】
【０１１２】
１０      競技施設
１２      フィールド
１４      客席
１９      支持梁
２２      可動屋根
２４      可動梁
２８      下側ガイド部材（ガイド部材）
３２      上側ガイド部材（ガイド部材）
６０      競技施設
６２      競技施設
６４      競技施設
６６      可動屋根
６８      可動屋根
６９      競技施設
７０      可動屋根
７２      競技施設
７４      競技施設
８０      競技施設
８２      建物（支持部材）
８４      ガイド部材
８６      可動屋根
９４      可動梁
９６      可動梁
【図１】
2019196649.tif 000003
【図２】
2019196649.tif 000004
【図３】
2019196649.tif 000005
【図４】
2019196649.tif 000006
【図５】
2019196649.tif 000007
【図６】
2019196649.tif 000008
【図７】
2019196649.tif 000009
【図８】
2019196649.tif 000010
【図９】
2019196649.tif 000011
【図１０】
2019196649.tif 000012
【図１１】
2019196649.tif 000013
【図１２】
2019196649.tif 000014
【図１３】
2019196649.tif 000015
【図１４】
2019196649.tif 000016
【図１５】
2019196649.tif 000017
【図１６】
2019196649.tif 000018
【図１７】
2019196649.tif 000019